(57)【要約】【課題】放音性能が良好で、しかも水抜き性能が良好なスピーカボックスを提供することを目的とする。【解決手段】このスピーカボックスは、スピーカ（４）を収容する箱部（２）と、前記箱部（２）の開口部を塞ぐ蓋部（３）を設け、前記蓋部（３）の前面開口部（９）には、直径６．０ｍｍ〜９．０ｍｍの丸孔と同等の孔面積の六角形の多数の水抜き孔（７）を形成したグリル（８）を設けたことを特徴とする。【選択図】図４
2018037917.tif 000002
【特許請求の範囲】
【請求項１】
スピーカを収容する箱部と、
前記箱部の開口部を塞ぐ蓋部を設け、
前記蓋部の前面開口部には、直径６．０ｍｍ〜９．０ｍｍの丸孔と同等の孔面積の六角形の多数の水抜き孔を形成したグリルを設けた、スピーカボックス。
【請求項２】
前記グリルは、六角形状の前記水抜き孔の間を仕切る環状枠の連続で構成され、前記環状枠には、辺と、この辺と辺が接続される角部があって、前記前面開口部の最下端では、前記辺の部分で前記環状枠が前記前面開口部の内周面に接続されている、請求項１記載のスピーカボックス。
【請求項３】
スピーカの背面外周部に対応して箱部に凹部が形成され、この凹部にＯリングを設けた請求項１記載のスピーカボックス。
【請求項４】
Ｏリングを弾性変形させてシールさせた請求項３記載のスピーカボックス。
【請求項５】
請求項１記載のスピーカボックスを搭載した移動体装置。
【請求項６】
移動体装置は室内と室外とから構成され、スピーカボックスは移動体装置の室外に搭載した請求項５記載の移動体装置。
【請求項７】
スピーカボックスは移動体装置のモータルームまたはエンジンルームに搭載した請求項６記載の移動体装置。
【発明の詳細な説明】
【技術分野】
【０００１】
本発明は、スピーカを内蔵するスピーカボックスに関する。
【背景技術】
【０００２】
例えば電気自動車では、歩行者などへ車両の接近を知らせるために車両接近警報装置が搭載されている。車両接近警報装置は、スピーカと、このスピーカを収容するスピーカボックス、および前記スピーカを駆動する電子回路とで構成されている。
【０００３】
特許文献１に見られるスピーカボックス２１は、図８に示すように箱部２２と、箱部２２の開口部２３を塞ぐ蓋部２４とで構成されている。２５はスピーカボックス２１に内蔵されたスピーカである。
【０００４】
このスピーカボックス２１の場合には、電気自動車が走行中に跳ね上げた道路面からの雨水などの飛沫が掛かる個所に設置されているため、蓋部２４には、スピーカ２５を保護すると共に、スピーカ２５から発せられた警報音を十分に放音できることが要求されている。そのため蓋部２４には、前記開口部２３を隠すようにルーバ２６が形成されている。
【０００５】
特許文献２には、車両接近警報装置のように雨水が掛かる劣悪な環境下ではなく、車室内のインストルメントパネルに設けたスピーカ取り付け構造が記載されている。このスピーカ取り付け構造では、放音孔としての小孔が多数形成されたスピーカグリルの剛性低下を補うために、スピーカグリルの背面に補強リブを設けることが記載されている。具体的にはジグザク状の補強リブまたは六角形の補強リブが記載されている。補強リブは、スピーカグリルが押圧された場合にスピーカグリルが凹まないようにできるが、前記間隔または前記六角形の孔の大きさが、スピーカグリルの放音孔としての小孔に比べて非常に大きく、補強リブ単独ではスピーカを保護することができない。
【先行技術文献】
【特許文献】
【０００６】
【特許文献１】特開２０１４−２２０６７０号公報
【特許文献２】特開２０１５−０１９２５１号公報
【発明の概要】
【発明が解決しようとする課題】
【０００７】
特許文献１の蓋部２４に設けたルーバ２６では、放音する方向に不要な指向性が発生する。また、ルーバ２６に代わって特許文献２のスピーカグリルを採用した場合には、良好な放音を実現できるが、スピーカグリルから侵入した雨水が、小孔の放音孔から流れ出さない状態となるため、水抜き性能が悪化する。
【０００８】
そこで、特許文献１の蓋部２４に設けたルーバ２６では放音性能が不足する場合には、ルーバ２６に代わって図６に示すように、蓋部２４の前面に、特許文献２での放音孔に比べて大きな直径８．０ｍｍ程度の丸孔の多数の水抜き孔７Ａを形成することが考えられるが、単に孔の大きさを変更しただけでは、前記水抜き性能の改善を実現できなかった。
【０００９】
そこで本発明は、放音性能が良好で、しかも水抜き性能が良好なスピーカボックスを提供することを目的とする。
【課題を解決するための手段】
【００１０】
本発明のスピーカボックスは、スピーカを収容する箱部と、前記箱部の開口部を塞ぐ蓋部を設け、前記蓋部の前面開口部には、直径６．０ｍｍ〜９．０ｍｍの丸孔と同等の孔面積の六角形の多数の水抜き孔を形成したグリルを設けたことを特徴とする。
【発明の効果】
【００１１】
この構成によれば、直径６．０ｍｍ〜９．０ｍｍの丸孔と同等の孔面積の六角形の多数の水抜き孔を形成したグリルとしたことによって、放音性能が良好で、しかも水抜き性能が良好なスピーカボックスを実現できる。
【図面の簡単な説明】
【００１２】
【図１】本発明の実施の形態のスピーカボックスの外観斜視図
【図２】本発明の実施の形態のスピーカボックスの断面図
【図３】同スピーカボックスの一部の拡大断面図
【図４】本発明の実施の形態のスピーカボックスの正面図
【図５】本発明の実施の形態のスピーカボックスを搭載した移動体装置の概略図
【図６】比較例１のグリルの正面図
【図７】比較例２のグリルの正面図
【図８】従来のスピーカボックスの断面図
【図９】直径８．０ｍｍの丸孔の水抜き孔７Ａと孔面積が水抜き孔７Ａよりも僅かに大きい水抜き孔７Ｂの拡大図
【図１０】直径８．０ｍｍの丸孔の水抜き孔７Ａと孔面積が水抜き孔７Ａよりも僅かに小さい水抜き孔７Ｃの拡大図
【発明を実施するための形態】
【００１３】
以下、発明のスピーカボックスを実施の形態に基づいて説明する。
【００１４】
図１は、本発明の実施の形態におけるスピーカボックス１の外観斜視図である。スピーカボックス１は、合成樹脂製の箱部２と、合成樹脂製で箱部２の開口部を塞ぐ蓋部３を有している。蓋部３が取り付けられた箱部２には、図２に示すようにスピーカ４が内蔵されている。箱部２には図３に示すように、スピーカ４の背面外周部に対応して環状の凹部５が形成されている。この凹部５にはＯリング６がセットされており、蓋部３を箱部２にビス１６で取り付けることによってＯリング６が弾性変形してシールされている。
【００１５】
この構成とすることにより、箱部２の内部に水が浸入することを防止することができる。
【００１６】
また、合成樹脂製の箱部２と、蓋部３は、耐熱性や強度および剛性が要求されるため、耐熱性や強度および剛性に優れた合成樹脂を選定するとともに、ガラス繊維等の強化フィラーを加えて成形しても良い。
【００１７】
樹脂成形された蓋部３には、六角形の多数の水抜き孔７を形成したグリル８が、蓋部３の前面開口部９に一体に成形されている。
【００１８】
六角形の水抜き孔７の形状については、ハニカム形状の効果から、丸形の水抜き孔と比較して強度を向上させることができる。
【００１９】
よって、使用する合成樹脂量を削減して、より開口率を大きくすることができ、さらに軽量化にも寄与できる。
【００２０】
図４はスピーカボックス取り付け姿勢の正面図を示している。矢印Ａ方向が取り付け姿勢の上方向である。
【００２１】
グリル８は、複数の水抜き孔７が定間隔、定ピッチで整列して配置されている。水抜き孔７の一つの形状は直径６．０ｍｍ〜９．０ｍｍの丸孔と同等の孔面積の六角形であって、仮想線で示すように水抜き孔７の間を仕切る環状枠１０の連続で構成されている。環状枠１０には、辺１１と、この辺１１と辺１１が接続される角部１２があって、前面開口部９が円形の場合に、前面開口部９の最下端では、辺１１の部分で環状枠１０が前面開口部９の内周面に接続されている。
【００２２】
図５はスピーカボックス１を車両接近警報装置として搭載した移動体装置を示す。
【００２３】
なお、スピーカ４へ供給される信号を発生する電子装置（図示せず）は、箱部２に収容されていても、箱部２に収容されていなくても、何れでも実施可能である。
【００２４】
移動体装置１３が電気自動車であるとして説明するが、移動体装置１３は、エンジンによって駆動される車両や、エンジンとモータを搭載したハイブリッドタイプの車両でも良い。さらに、移動体装置１３は、自動車に限らない。たとえば、バイク、電動自転車、フォークリフトなどでもかまわない。
【００２５】
移動体装置１３の動力源であるモータ１４が据え付けられているモータルーム１５に、スピーカボックス１が取り付けられている。
【００２６】
図６は比較例１を示している。この比較例１では水抜き孔７Ａの一つの形状を丸孔とした他は、図４と同じである。
【００２７】
図４の実施品と図６の比較例１のスピーカボックス１を移動体装置１３に搭載し、検証実験を行った。実施品の水抜き孔７は直径８．０ｍｍの丸孔と同等の孔面積の六角形とし、比較例１の水抜き孔７Ａは直径８．０ｍｍの丸孔とした。
【００２８】
なお、実施品の直径８．０ｍｍの丸孔と同等の孔面積の六角形の水抜き孔７とは、図９に示した水抜き孔７Ｂのように直径８．０ｍｍの丸孔の水抜き孔７Ａの孔面積よりも僅かに大きく、または図１０に示した水抜き孔７Ｃのように僅かに小さくした形状の六角形ある。このように、実施品の六角形の水抜き孔７Ｂ，７Ｃの頂点Ｔは、比較例１の水抜き孔７Ａ（直径８．０ｍｍの丸孔）の外側に位置し、六角形の水抜き孔７Ｂ，７Ｃの辺ＯＳの一部が水抜き孔７Ａの内側に位置する六角形である。ここでは具体的な一例として、水抜き孔７の六角形の一辺を４．４０ｍｍとして実験した。
【００２９】
その結果、実施品と比較例１の何れも良好な放音特性を得られた。水抜き性能については、比較例１で雨水が十分に流れ出さない場合であっても、実施品では良好な水抜き性能を確認した。これは、形状が丸孔である水抜き孔７Ａの場合には、水抜き孔７Ａの周囲で発生する雨水による表面張力の影響で水抜き性能が悪化していると思われる。これに対し、実施品では水抜き孔７の形状が六角形であるため、水抜き孔７の周囲で発生する雨水による表面張力の大きさが、比較例１の丸孔の場合に比べて小さいためと考えられる。
【００３０】
実施品について、水抜き孔７の大きさを直径６．０ｍｍの丸孔と同等の孔面積の場合の六角形（一辺３．３０ｍｍ）の水抜き孔７の水抜き性能を確認すると、ほぼ良好な水抜き性能を確認した。水抜き孔７の大きさを直径６．０ｍｍ未満の丸孔と同等の孔面積とした場合には、水抜き性能の悪化を確認した。水抜き孔７の大きさを直径９．０ｍｍの丸孔と同等の孔面積とした場合の六角形（一辺４．９５ｍｍ）の水抜き孔７は、直径８．０ｍｍの丸孔と同等の孔面積とした場合と同様な性能を確認したが、水抜き孔７の大きさを直径９．０ｍｍよりも大きな丸孔と同等の孔面積とした場合には、グリル８の強度低下を確認した。
【００３１】
図７は比較例２を示している。この比較例２では蓋部３の前面開口部９の最下端でのグリル８の環状枠１０の前面開口部９の内周面への接続状態だけが図４とは異なり、その他は図４と同じである。比較例２では、環状枠１０の角部１２で前面開口部９の最下端の内周面に接続されている。この場合には、前面開口部９の最下端での水抜き孔７の面積Ｂが実施品の場合よりも小さくなるため、実施品に比べて水抜き性能が悪化した。
【００３２】
これらの構成により、本発明は走行中に跳ね上げた道路面からの雨水などの飛沫によるグリル８内部への水の侵入があっても、六角形の孔形状により水の表面張力を低下させることで、容易に外部へ排出させることができる。
【００３３】
よって、グリル８内部に水が長期間にわたり留まることがなくなるため、振動板等の水に弱い部品の劣化を著しく抑制させることができる。
【００３４】
以上のように、前述の箱部２には、スピーカ４の背面外周部に対応して凹部５が形成され、Ｏリング６を設けて弾性変形させてシールすることで箱部２の内部への水の浸入を防止することができ、一方、グリル８内部への水の侵入については、六角形の孔形状により水の表面張力を低下させることで、容易に外部へ排出させることができる。
【００３５】
従って、モータルームやエンジンルーム等の水に曝される厳しい環境下で使用されるスピーカボックスに非常に有用である。
【００３６】
なお、スピーカボックス１の設置場所は、モータルーム１５に限らない。たとえば、ドアミラーのハウジング内や、バンパー内、さらにはトランクルーム内などに設置してもかまわない。
【００３７】
また、スピーカボックス１は、車両接近警報装置に限らない。たとえば、擬似エンジン音発生装置、あるいは能動型の騒音低減装置などに用いてもかまわない。
【産業上の利用可能性】
【００３８】
本発明のスピーカボックスは、良好な放音特性と水抜き性能を実現でき、水に曝される厳しい環境下で使用される各種装置の長期間にわたる信頼性の向上に寄与する。
【符号の説明】
【００３９】
１    スピーカボックス
２    箱部
３    蓋部
４    スピーカ
５    凹部
６    Ｏリング
７    水抜き孔
８    グリル
９    前面開口部
Ａ    取り付け姿勢の上方向
１０    環状枠
１１    辺
１２    角部
１３    移動体装置
１４    モータ
１５    モータルーム
１６    ビス
【図１】
2018037917.tif 000003
【図２】
2018037917.tif 000004
【図３】
2018037917.tif 000005
【図４】
2018037917.tif 000006
【図５】
2018037917.tif 000007
【図６】
2018037917.tif 000008
【図７】
2018037917.tif 000009
【図８】
2018037917.tif 000010
【図９】
2018037917.tif 000011
【図１０】
2018037917.tif 000012